(57)【特許請求の範囲】
【請求項１】
遊技盤をセット保持した中枠の前面側に前記遊技盤の遊技領域に対応する窓口が開口形成された合成樹脂製の前枠を開閉回動可能に支持すると共に、同前枠の裏面側には前記窓口を透視保護し得る透明板が装備された支持枠を備えたパチンコ遊技機において、
前枠の裏面側における左右の側縁部のうち回動軸側の側縁部に前記支持枠を支持するための一対の支持金具を当該側縁部の長手方向に沿って離間配置し、当該両支持金具を前枠に対し所定の固定手段により固定すると共に、前記両支持金具間には長尺状の金属板を折り曲げて断面クランク状に形成された第１の前枠補強部材を配置し、当該前枠補強部材を前枠に対し前記固定手段の一部又は全部を利用して固定し、
前記第１の前枠補強部材の短手方向の一方側によって、該第１の前枠補強部材の長手方向に亘って前記前枠側へ突出する突出部が構成され、
前記一対の支持金具を配置した側縁部に、その長手方向に沿って前記突出部の長手方向の長さと同じ長さの複数の第１リブを形成するとともに該複数の第１リブの間隔を前記突出部の短手方向の長さと同じ長さに形成し、前記複数の第１リブの間に前記第１リブに直交する方向に沿って複数の第２リブを形成し、前記第１リブを前記第２リブよりも裏方側に、前記突出部の突出長と同じ長さ突出するように形成することで前記複数の第１リブの間に溝部を形成し、
前記溝部に前記第１の前枠補強部材の突出部が嵌合することにより、前記第１の前枠補強部材の位置ズレが規制されるパチンコ遊技機。
【請求項２】
前記固定手段は複数のネジであり、前記第１リブ及び第２リブの間に前記ネジが装着されるボス部を形成し、
前記複数のネジのうち一方の支持金具を前記前枠に固定するネジにより、前記第１の前枠補強部材の一端を前記一方の支持金具と共締めするとともに、前記複数のネジのうち他方の支持金具を前記前枠に固定するネジにより、前記第１の前枠補強部材の他端を前記他方の支持金具と共締めする請求項１に記載のパチンコ遊技機。
【請求項３】
前記前枠を前記一対の支持金具に形成された軸孔又は支軸を介して前記中枠に回動可能に支持し、前記支持枠を前記一対の支持金具に形成された支持ピンを介して前記前枠に傾動開放可能に支持し、
前記支持ピンを前記軸孔又は支軸よりも前記前枠の左右方向内側に形成することにより、前記前枠に対する前記支持枠の傾動軸線を前記中枠に対する前記前枠の回動軸線よりも前記前枠の左右方向内側にした請求項１又は請求項２に記載のパチンコ遊技機。
【請求項４】
前記支持枠は支持金具にて傾動開放可能に支持され、支持枠における下側の枠部には、前枠に対して当該支持枠を固定手段により傾動開放不能に固定するための突片を下方に向って一体形成する一方、前枠の裏面側における下側の側縁部には、該側縁部の長手方向に沿って、帯状の金属板を折り曲げて断面コ字状に形成された長尺状の第２の前枠補強部材が固定され、該第２の前枠補強部材における前記支持枠側の折返し部に受止め片が折り曲げ形成されるとともに該受止め片に前記支持枠における前記突片が前記固定手段により圧接される請求項１〜請求項３のうち何れか一項に記載のパチンコ遊技機。
【請求項５】
前記第２の前枠補強部材の前記折返し部の上面が前記支持枠の下面に当接することにより、前記第２の前枠補強部材は、前記支持枠の傾動ガイド支持手段として構成されている請求項４に記載のパチンコ遊技機。
【発明の詳細な説明】
【０００１】
【発明の属する技術分野】
本発明は、合成樹脂製の前枠を備えるパチンコ遊技機に関するものである。
【０００２】
【従来の技術】
パチンコ機やアレンジボール機に代表されるこの種の遊技機では、外枠の開口前面に、遊技領域を構成した遊技盤、前枠、上下の球皿、打球発射装置、裏側の機構セット盤等の多くの遊技用構成部材を設置した中枠が開閉及び着脱可能に取付けられて１台単位とされている。このような遊技機において、従来、同遊技機のガラス保持枠として機能し、中枠に対して横開き形態で開閉可能に取着される前枠は、金属製のものが一般的とされていたが、近時においては遊技機前面側の装飾効果を図る等の目的から、合成樹脂製の前枠が主流になってきている。
【０００３】
【発明が解決しようとする課題】
しかしながら、その一方で、当該前枠を合成樹脂とした場合は、金属製の場合に比して剛性が劣るため、外力を加えられると前枠本体が撓んでしまい、当該前枠本体と中枠との間に隙間ができてしまうことがあった。また、合成樹脂の場合は熱した針金等が押し付けられると、前枠本体の表裏を貫通する穴が開けられてしまうということも有り得た。そして、このような隙間又は穴からピアノ線が挿入されることにより、不正遊技が行われてしまうという問題を有していた。
【０００４】
本発明は上記各問題点を解決するためになされたものであり、その第１の目的は、合成樹脂製前枠に対して同前枠を補強する前枠補強部材を簡便に取付固定でき、同前枠の外力による撓みを防止できるパチンコ遊技機を提供することにある。又、第２の目的は、合成樹脂製前枠に穴が開けられても不正遊技が行われることを防止できるパチンコ遊技機を提供することにある。
【０００５】
【課題を解決するための手段】
上記問題点を解決するために、請求項１に記載の発明は、遊技盤をセット保持した中枠の前面側に前記遊技盤の遊技領域に対応する窓口が開口形成された合成樹脂製の前枠を開閉回動可能に支持すると共に、同前枠の裏面側には前記窓口を透視保護し得る透明板が装備された支持枠を備えたパチンコ遊技機において、前枠の裏面側における左右の側縁部のうち回動軸側の側縁部に前記支持枠を支持するための一対の支持金具を当該側縁部の長手方向に沿って離間配置し、当該両支持金具を前枠に対し所定の固定手段により固定すると共に、前記両支持金具間には長尺状の金属板を折り曲げて断面クランク状に形成された第１の前枠補強部材を配置し、当該前枠補強部材を前枠に対し前記固定手段の一部又は全部を利用して固定し、前記第１の前枠補強部材の短手方向の一方側によって、該第１の前枠補強部材の長手方向に亘って前記前枠側へ突出する突出部が構成され、前記一対の支持金具を配置した側縁部に、その長手方向に沿って前記突出部の長手方向の長さと同じ長さの複数の第１リブを形成するとともに該複数の第１リブの間隔を前記突出部の短手方向の長さと同じ長さに形成し、前記複数の第１リブの間に前記第１リブに直交する方向に沿って複数の第２リブを形成し、前記第１リブを前記第２リブよりも裏方側に、前記突出部の突出長と同じ長さ突出するように形成することで前記複数の第１リブの間に溝部を形成し、前記溝部に前記第１の前枠補強部材の突出部が嵌合することにより、前記第１の前枠補強部材の位置ズレが規制されることを要旨とする。
【０００６】
請求項２に記載の発明は、請求項１に記載のパチンコ遊技機において、前記固定手段は複数のネジであり、前記第１リブ及び第２リブの間に前記ネジが装着されるボス部を形成し、前記複数のネジのうち一方の支持金具を前記前枠に固定するネジにより、前記第１の前枠補強部材の一端を前記一方の支持金具と共締めするとともに、前記複数のネジのうち他方の支持金具を前記前枠に固定するネジにより、前記第１の前枠補強部材の他端を前記他方の支持金具と共締めすることを要旨とする。
【０００７】
請求項３に記載の発明は、請求項１又は請求項２に記載のパチンコ遊技機において、前記前枠を前記一対の支持金具に形成された軸孔又は支軸を介して前記中枠に回動可能に支持し、前記支持枠を前記一対の支持金具に形成された支持ピンを介して前記前枠に傾動開放可能に支持し、前記支持ピンを前記軸孔又は支軸よりも前記前枠の左右方向内側に形成することにより、前記前枠に対する前記支持枠の傾動軸線を前記中枠に対する前記前枠の回動軸線よりも前記前枠の左右方向内側にしたことを要旨とする。
【０００８】
請求項４に記載の発明は、請求項１〜請求項３のうち何れか一項に記載のパチンコ遊技機において、前記支持枠は支持金具にて傾動開放可能に支持され、支持枠における下側の枠部には、前枠に対して当該支持枠を固定手段により傾動開放不能に固定するための突片を下方に向って一体形成する一方、前枠の裏面側における下側の側縁部には、該側縁部の長手方向に沿って、帯状の金属板を折り曲げて断面コ字状に形成された長尺状の第２の前枠補強部材が固定され、該第２の前枠補強部材における前記支持枠側の折返し部に受止め片が折り曲げ形成されるとともに該受止め片に前記支持枠における前記突片が前記固定手段により圧接されることを要旨とする。
【００１０】
請求項５に記載の発明は、請求項４に記載のパチンコ遊技機において、前記第２の前枠補強部材の前記折返し部の上面が前記支持枠の下面に当接することにより、前記第２の前枠補強部材は、前記支持枠の傾動ガイド支持手段として構成されていることを要旨とする。
【００１１】
【発明の実施の形態】
以下、本発明を具体化した一実施形態を図１〜図１０に従って説明する。
なお、以下の説明において、「左」又は「右」は、パチンコ遊技機を表側から見た場合の「左」又は「右」を示すものとする。
【００１２】
本実施形態のパチンコ遊技機（以下、「遊技機」という。）は、その基本的構成の概要として、図１に略示するように、機体の外郭をなす縦長方形の外枠１１の開口前面側に、各種の遊技用構成部材をセットする縦長方形の中枠１２が開閉及び着脱可能に組付けられている。そして、この中枠１２の前面側に、遊技領域となる遊技盤１３の透視保護窓である前枠１４と上球皿１５とが個々の連結支持手段等を利用して共に横開き形態で開閉可能に組み付け整合されている。一方、中枠１２の下部には下球皿１６及び打球発射装置１７等が装着セットされており、また中枠１２の裏側には各種の球経路及び球処理・払出部等を備えた機構セット盤がセットされている。なお、図中１８は球貸しシステムに利用されるカードユニットを示す。また、遊技機の搭載枠とされる中枠１２の右縁部には施錠装置２０が設けられており、施錠装置２０には、同施錠装置２０の前面側を覆うように枠飾り２０ａが取着されている。
【００１３】
ここで、前記中枠１２に組付けられる前枠１４について詳しく説明する。
前枠１４は、中枠１２に対して横開き形態とされていて、その基本的な構成は、図２及び図３に示すように、全体が合成樹脂にて方形状に形成され、中央部にほぼ円形状の窓口２１を有する扉枠用の枠本体２２と、剛性を有する金属にて形成され、前記枠本体２２の内側（窓口２１の裏側）に着脱及び傾動開放可能に組付けセットされるガラス支持用の支持枠２３とが主体とされている。そして、前記支持枠２３に方形の透明板としての板ガラス２４（２枚）が挿入配置され、前枠１４は全体が１つに取扱可能なフレームレス透視窓として構成されると共に、１つの窓部材として容易に取扱い、保管、移送ができるようになっている。
【００１４】
図４及び図５に示すように、前記枠本体２２における裏面左側縁部の上下各端部には、連結金具としての第１及び第２連結支持具２６，２７が設けられている。即ち、同第１及び第２連結支持具２６，２７は前記枠本体２２の左側縁部の長手方向に沿って離間配置されている。そして、図６に示すように、前記中枠１２の左上端部に設けられた支持片３１の支持孔３１ａと、前記第１連結支持具２６における支軸３２とが嵌挿連結されている。また、中枠１２の左中段部に設けられた支持片３３から突出する支軸３３ａと、前記第２連結支持具２７における軸孔３４とが嵌挿連結されている。この結果、枠本体２２が前記第１及び第２連結支持具２６，２７を介して中枠１２に回動可能に支持される。
【００１５】
一方、図１及び図４に示すように、前記枠本体２２の正面右側縁中央には凹部２５が形成されている。前記凹部２５は前記施錠装置２０の枠飾り２０ａが枠本体２２の閉鎖時に嵌合係止する形態とされており、その嵌合係止状態において前記枠飾り２０ａが枠本体２２を施錠前において仮支えするようになっている。そして、前記第１及び第２連結支持具２６，２７と前記施錠装置２０が利用され、前枠１４は中枠１２に対して開閉及び着脱が可能に組付けセットされるようになっている。
【００１６】
ここで、前記第１及び第２連結支持具２６，２７についてさらに詳しく説明する。
前記第１連結支持具２６は、図６に示すように、金属板から成形された支持具本体３７が枠本体２２の裏側の左上隅部に設けられた複数のボス部（図示しない）に対して固定手段としての複数のネジ３８が装着されることによりネジ止め固定されている。そして、支持具本体３７の上部には前記支軸３２を嵌挿支持するための軸筒部３９が形成されると共に、支持具本体３７の下部には、後述する支持枠２３における支持片６１の軸孔６１ａ（図３参照）と対応する支持ピン４０が枠本体２２の内方側に位置して前記支軸３２とは異なる縦中心線上に設けられている。即ち、前記第１連結支持具２６は枠本体２２に対する支持手段と支持枠２３に対する支持手段を兼用している。なお、前記軸筒部３９に嵌挿支持される支軸３２は、軸筒部３９から下方に突出する基端部が内方に曲折されており、その基端部に、上端がネジ止めされたバネ４１の下端が係着されている。この結果、前記支軸３２はバネ４１の付勢力により、常には先端部が軸筒部３９から上方へ突出するように構成されている。
【００１７】
前記第２連結支持具２７は、金属板から成形された支持具本体４３が枠本体２２の裏側の左下隅部に設けられた複数のボス部（図示しない）に対して固定手段としての複数のネジ４４が装着されることによりネジ止め固定されている。そして、支持具本体４３の下部には前記軸孔３４を穿設した支持片４５（図６にのみ図示する）が折曲形成されると共に、支持具本体４３の上部には、後述する支持枠２３における支持片６２の軸孔６２ａ（図３参照）と対応する支持ピン４６が枠本体２２の内方側に位置して前記軸孔３４とは異なる縦中心線上に設けられている。即ち前記第２連結支持具２７は枠本体２２に対する支持手段と支持枠２３に対する支持手段を兼用している。そして前記第１連結支持具２６における支持ピン４０と第２連結支持具２７における支持ピン４６は鉛直方向に延びる同一軸線上に位置している。
【００１８】
前記第１及び第２連結支持具２６，２７間における枠本体２２の左側縁部には、図３〜図５に示すように、上下方向に延びる２つの第１リブ５１が一体形成されていると共に、同第１リブ５１に直交する複数の第２リブ５２が一体形成されている。前記第１リブ５１は第２リブ５２よりも枠本体２２の裏側方に突出しており、両リブ５１，５２間には複数のボス部５３が形成されている。なお、枠本体２２における上下縁部及び右縁部にも適宜補強リブ５０が一体形成されている。
【００１９】
前記第１及び第２連結支持具２６，２７間には、第１の前枠補強部材としての第１補強片５４が設けられている。前記第１補強片５４は、枠本体２２の左側縁部に沿って、直線状に延び、その上端部が第１連結支持具２６を固定する複数のネジ３８のうち下部に位置する１つのネジ３８ａにて第１連結支持具２６と共締めされている。また、第１補強片５４の下端部は、第２連結支持具２７を固定する複数のネジ４４のうち上部に位置する１つのネジ４４ａにて第２連結支持具２７と共締めされている。さらに、第１補強片５４は、枠本体２２のリブ５１，５２間における複数のボス部５３に対応するように装着されたネジ５５によっても固定されている。
【００２０】
ここで、前記第１補強片５４について説明すると、第１補強片５４は第１及び第２連結支持具２６，２７間に亘って枠本体２２の左側縁部を覆うように帯状の金属板から成形されており、図７に示すように、その長手方向に沿う複数の折曲線部分で折り曲げることにより断面略クランク状に形成されている。そして、この折曲形成により、第１補強片５４はその長手方向に亘って枠本体２２側へ突出する突出部５６を有している。前記突出部５６の長手方向の長さは前記第１リブ５１の長手方向の長さとほぼ同一とされており、前記突出部５６は枠本体２２の第１リブ５１間における溝５８に嵌合されている。なお、本実施形態では、前記突出部５６が嵌合凸部に相当し、前記溝５８が嵌合凹部に相当する。そして、前記突出部５６と溝５８にて位置ズレ規制手段は構成されている。
【００２１】
図３及び図５に示すように、枠本体２２の内側に備えられる支持枠２３は軽量金属材により組立構成されており、ガラス横入れ形態とされている。そして、前後２枚の板ガラスを挿入セット可能にレール枠状に成形された枠部としての上下及び左枠杆２３ａ〜２３ｃと、右側の補強支杆２３ｄとが直角に枠組連結されて方形のガラス枠として構成されており、前記各枠杆２３ａ〜２３ｃ及び支杆２３ｄがなす開口面（ガラスの透視面）は前記枠本体２２の窓口２１より適宜広く形成されている。
【００２２】
前記枠本体２２に対する支持枠２３の組付けについては、図２に示すように、前記第１及び第２連結支持具２６，２７、開閉保持機構６５、ロック機構６６、及び第２の前枠補強部材としての第２補強片７５が利用されている。詳述すると、左枠杆２３ｃの外面における長手方向のほぼ中間位置に上下一対の支持片６１，６２が水平方向へ突設され、各支持片６１，６２に前記両連結支持具２６，２７の各支持ピン４０，４６に対応する軸孔６１ａ，６２ａが形成されている。即ち、両軸孔６１ａ，６２ａは鉛直方向へ延びる同一軸線上に位置している。このため、支持枠２３は前記各支持片６１，６２の軸孔６１ａ，６２ａを前記各支持ピン４０，４６に連結することにより、前記枠本体２２の裏側に前後への横開き傾動及び上下への着脱が可能に支持される。
【００２３】
また、図８に示すように、枠本体２２の右裏側上部と前記上枠杆２３ａの右端部との間に配置された開閉保持機構６５は支持枠２３の傾動案内及び開放規制を許容し、さらに、支持枠２３を閉鎖状態に保持する形態とされている。即ち、枠本体２２に固定される支持部材６７には可動規制部材６８の基端部が水平回動自在に支持され、この可動規制部材６８の先端部に、前方から切欠き形成された長溝６９内には、前記上枠杆２３ａに突設されたピン７０が嵌挿されている。そして、可動規制部材６８の先端部における操作片６８ａを摘んで、同可動規制部材６８を前後方向へ揺動させると、前記ピン７０が長溝６９に沿って摺動案内され、これに伴って、支持枠２３が傾動案内されるようになっている。さらに、前記支持部材６７には、前記ピン７０と弾性的に係合可能とされ、合成樹脂等の弾性素材からなるフック７１が設けられている。
【００２４】
また、枠本体２２の右裏側下部と補強支杆２３ｄの下端部との間に配置されたロック機構６６は、枠本体２２に固定され、前記フック７１と同形状のフック７２と、同フック７２に相対して、前記補強支杆２３ｄに設けられたピン７３とから構成されている。この結果、支持枠２３では、前記支持片６１，６２を支点として、枠本体２２方向への回動変位に伴い、各ピン７０，７３が枠本体２２側の各フック７１，７２に干渉し、これらの各フック７１，７２を弾性変形させ、その変形後の弾性復帰により両者７０〜７３が互いに係止することにより、枠本体２２に重合された状態、即ち、閉鎖状態に保持される。
【００２５】
図５に示すように、支持枠２３の傾動動作の中心軸線方向、即ち、同支持枠２３の軸孔６１ａ，６２ａの軸線方向と直交する方向（水平方向）に延びる枠本体２２の下側縁部にはその長手方向に沿って複数のボス部７６が一体形成されている。そして、前記下側縁部の長手方向に沿うように直線状に形成された第２補強片７５が、複数のネジ７７を各ボス部７６に装着することによりネジ止め固定されている。
【００２６】
ここで、前記第２補強片７５について更に詳しく説明すると、図４、図９及び図１０に示すように、第２補強片７５は枠本体２２の下側縁部を覆うように帯状の金属板から成形されており、断面コ字状に折曲形成されている。コ字状に形成された第２補強片７５のうち支持枠２３側（上側）に位置する部位は折返し部７５ａとされ、同折返し部７５ａの上面は前記支持枠２３における下枠杆２３ｂの下面に当接している。また、折返し部７５ａにおける長手方向のほぼ中間位置には一対の受圧部としての受止め片７８が下方へ折曲形成されている。そして、前記受止め片７８が折返し部７５ａにおいて折曲げ形成されることにより、前記折返し部７５ａには案内溝７９が形成されている。
【００２７】
一方、支持枠２３における下枠杆２３ｂの下面には２個の被固定部としての突片８０が下方へ一体形成されている。前記突片８０は第２補強片７５の受止め片７８に相対して形成されており、第２補強片７５の案内溝７９よりも僅かに幅狭に形成されている。この結果、支持枠２３が傾動動作する際には、同支持枠２３は、突片８０が前記案内溝７９に挿入されると共に、前記折返し部７５ａの上面にて支持ガイドされる。即ち、前記第２補強片７５は支持枠２３が傾動する際の傾動ガイド支持手段を構成している。
【００２８】
また、前記突片８０を介して受止め片７８には固定手段としてのネジ８１が装着されており、同ネジ８１により突片８０は前記受止め片７８に対して圧接されている。この結果、突片８０を有する下枠杆２３ｂは、受止め片７８を有する第２補強片７５に固定されている。即ち、前記支持枠２３は枠本体２２に対して傾動開放不能に固定されている。
【００２９】
次に、上記のように構成されたパチンコ遊技機の作用を説明する。
まず、工場等での、前枠１４の組立段階において、第１及び第２連結支持具２６，２７が既に組みつけられた枠本体２２に第１補強片５４、第２補強片７５及び支持枠２３を取付ける場合について説明する。
【００３０】
第１補強片５４に関しては、同第１補強片５４の突出部５６を枠本体２２における第１リブ５１間の溝５８に嵌合する。このとき、前記突出部５６の長手方向の長さは前記第１リブ５１の長手方向の長さとほぼ同一とされているため、第１補強片５４は枠本体２２に対して容易に且つ確実に位置決めがなされると共に、位置ズレすることはない。
【００３１】
この結果、第１補強片５４の上部と第１連結支持具２６の下部における両ネジ穴と、第１補強片５４の下部と第２連結支持具２７の上部における両ネジ穴とが自動的に一致され、第１補強片５４を第１及び第２連結支持具２６，２７と共にネジ３８ａ，４４ａにて共締めする。そして、第１補強片５４の長手方向に沿ってさらに複数のネジ５５にて第１補強片５４をネジ止め固定する。
【００３２】
また、第２補強片に関しては、枠本体２２の下側縁部にネジ止め固定する。そして、支持枠２３に関しては、まず、左枠杆２３ｃにおける支持片６１，６２の軸孔６１ａ，６２ａを第１及び第２連結支持具２６，２７における支持ピン４０，４６に連結し、さらに、枠本体２２の右裏側上部の開閉保持機構６５における可動規制部材６８に形成された長溝６９にピン７０を嵌挿する。その後、支持枠２３を前記軸孔６１ａ，６２ａ及び支持ピン４０，４６を支点として、枠本体２２方向に傾動させ、支持枠２３における下枠杆２３ｂの下面と突片８０とを、第２補強片７５における折返し部７５ａの上面と案内溝７９にてガイドさせながら、閉鎖状態に位置させる。そして、支持枠２３の上枠杆２３ａ及び補強支杆２３ｄにおけるピン７０，７３を枠本体２２側のフックに弾性的に係止させる。すると、前記下枠杆２３ｂの突片８０が第２補強片７５の受止め片７８に当接され、この状態で受止め片７８に対して突片８０をネジ止めする。この結果、支持枠２３は第２補強片７５を介して枠本体２２に重合された状態で傾動開放不能に固定される。
【００３３】
このとき、前枠補強部材たる第１及び第２補強片５４，７５は別部材でそれぞれ、枠本体２２の左側縁部と下側縁部を補強しているため、両補強片５４，７５を同一部材でＬ字状等に形成する場合と異なり、工場での組立段階において補強片５４，７５の保管スペースを多く必要としない。また、第１補強片５４の上部と下部は、第１及び第２連結支持具２６，２７を固定するためのネジ３８ａ，４４ａを共有して固定されているため、第１補強片５４を固定するための部品点数の低減が図れる。また、前記第１補強片５４は断面略クランク状に折曲形成されており、第２補強片７５は断面コ字状に形成されているため、両補強片５４，７５を平板状に形成する場合と異なり、第１及び第２補強片５４，７５自身の撓み防止も図られる。
【００３４】
次に、遊技場でこの前枠１４が使用される場合において説明する。
前枠１４の裏面における左側縁部及び下側縁部は剛性の高い金属製の第１及び第２補強片５４，７５にて補強されており、外力が加えられても、前枠本体が撓むことはない。これに加えて、枠本体２２に固定された第２補強片７５に対して支持枠２３が圧接固定されており、同支持枠２３は枠本体２２に対して密着した状態とされるため、金属製であるこの方形状の支持枠２３においても、枠本体２２の撓みは防止される。また一方で、第２補強片７５の受止め片７８と支持枠２３の突片８０がネジ８１により圧接固定されていることで、枠本体２２と支持枠２３との間に、隙間が発生して、ガタ付いたりすることはない。さらに、枠本体２２の裏面における各側縁部には第１及び第２リブ５１，５２をはじめとして、適宜補強リブ５０が形成されており、これらによっても、枠本体２２の補強はなされ、その撓みは防止される。この結果、たとえ外力が加えられたとしても前枠１４と中枠１２の間に隙間が形成されることはなく、その隙間を利用して不正遊技が行われることもない。
【００３５】
このとき、前記第１及び第２補強片５４，７５にて上下方向の補強と左右方向の補強が別々になされるため、例えば、第１補強片５４と第２補強片７５を一体に形成する場合と異なり、補強強度は向上されている。
【００３６】
また、不正行為者によって、熱した針金等が合成樹脂製の枠本体２２に押し付けることにより貫通孔が開けられ、その孔からピアノ線が挿入された場合でも、前記第１及び第２補強片５４，７５が、最も不正行為が行われやすい、連結支持具２６，２７側の左側縁部及び下縁部を帯状に覆っているため、両補強片５４，７５にて前記ピアノ線等が遊技領域へ侵入することが防がれ、不正遊技が行われるおそれはない。
【００３７】
一方、前枠１４のサイズが変更になった際は、第１及び第２連結支持具２６，２７と第１及び第２補強片５４，７５が一体に形成されている場合と異なり、夫々が別部材にて構成されているため、前記第１及び第２補強片５４，７５の長さを変更させるだけで容易に対応される。また、前記第１補強片５４は第１及び第２連結支持具２６，２７と共締めされたネジ３８ａ，４４ａのみでも、枠本体２２に固定することができるため、既存の前枠１４に対しても同第１補強片５４は用いられる。
【００３８】
従って、上記実施形態によれば、以下のような効果を得ることができる。
（１）上記実施形態では、枠本体２２の左側縁部に長尺状であり、金属製の第１補強片５４が設けられているため、合成樹脂製の前枠１４の撓みに対する補強を確実にできる。
【００３９】
（２）上記実施形態では、第１補強片５４の上部と下部は、第１及び第２連結支持具２６，２７とネジ３８ａ，４４ａにて共締めされているため、第１補強片５４を固定するための部品点数を減らすことができ前枠１４の補強を低コストで行うことができる。そして、この第１補強片５４は第１及び第２連結支持具２６，２７と別部材にて形成されているため、前枠１４のサイズの設計変更にも第１補強片５４のみの長さを変えるだけで容易に対応できる。
【００４０】
（３）また、第１補強片５４は第１及び第２連結支持具２６，２７を固定するためのネジ３８ａ，４４ａのみでも固定できるため、補強がなされていない既存の前枠にも第１補強片５４を組付けることができる。
【００４１】
（４）上記実施形態では、枠本体２２の下側縁部に長尺状であり、金属製の第２補強片７５が設けられているため、合成樹脂製の前枠１４の撓みに対する補強をさらに確実にできると共に、第２補強片７５は第１補強片５４と別部材にて形成されているため、第１補強片５４と同様にして第２補強片７５についても前枠１４のサイズ変更の際において容易に対応できる。
【００４２】
（５）また、第１及び第２補強片５４，７５は直線状に延びるように形成されているため、成形が簡単で量産効果を上げることができ、第１及び第２補強片５４，７５を例えばＬ字状等に一体形成する場合と異なり前枠１４の組立てを行う工場で補強片５４，７５の保管スペースを多く必要としない。
【００４３】
さらに、第１及び第２連結支持具２６，２７と第１補強片５４は別部材にて形成されているため、前記両連結支持具２６，２７と第１補強片５４を一体形成する場合と比較して製造が簡単となり、更に量産効率を上げることができる。
【００４４】
（６）上記実施形態では、第１及び第２補強片５４，７５は最も不正行為が行われやすい枠本体２２における左側縁部及び下縁部を、帯状に覆っているため、たとえ合成樹脂製の前枠１４に貫通孔が開けられた場合でも、第１及び第２補強片５４，７５にてピアノ線等が遊技領域に挿通されることを防ぎ、不正遊技が行われることはない。
【００４５】
（７）上記実施形態では、第１補強片５４を枠本体２２に組付ける際は、第１補強片５４の突出部５６を枠本体２２における第１リブ５１間の溝に嵌合させることにより、第１補強片５４を容易に位置決めできると共に、ネジ止めする前に同第１補強片５４が位置ズレすることはない。この結果、第１補強片５４の枠本体２２に対する取付作業を容易に行うことができる。
【００４６】
（８）上記実施形態では、支持枠２３の下部に設けられた突片８０が枠本体２２に固定された第２補強片７５の受止め片７８にネジ８１にて圧接固定されているため、支持枠２３が枠本体２２に密着した状態で固定される。従って、金属製である方形状の支持枠２３にて前枠１４をさらに補強できる。
【００４７】
また、突片８０と受止め片７８とをネジ８１で固定せずに、開閉保持機構６５及びロック機構６６におけるピン７０，７３とフック７１，７２のみで支持枠２３を固定する場合と比較して、枠本体２２と支持枠２３との間に隙間ができ、支持枠２３がガタ付くことはない。
【００４８】
（９）上記実施形態では、支持枠２３を傾動させる際は、第２補強片７５における折返し部７５ａの上面と、案内溝７９にて前記支持枠２３はガイドされるため、容易に第２補強片７５の受止め片７８に対して支持枠２３の突片８０を位置合わせできる。
【００４９】
（１０）上記実施形態では、枠本体２２の上下左右の側縁部には適宜リブ５０〜５２を設けたため、更に前枠１４の撓みに対する補強ができる。
なお、上記実施形態は以下のような別例に変更して具体化してもよい。
【００５０】
・上記実施形態では、第１及び第２補強片５４，７５は、それぞれ断面略クランク状及び断面コ字状に形成したが、平板状に形成してもよい。このようにしても、最も不正行為が行われやすい枠本体２２の左側縁部及び下側縁部を覆うことができ、枠本体２２に貫通孔が開けられた際でも、不正遊技が行われることはない。
【００５１】
また、前記両補強片５４，７５は棒状に形成してもよい。このようにしても枠本体２２の撓みは防止できる。
・上記実施形態では、補強片５４，７５は枠本体２２の左側縁部及び下側縁部のみに設けられていたが、枠本体２２の上側縁部と右側縁部に他の補強片を加えてもよい。
【００５２】
・上記実施形態では、第１補強片５４は第１及び第２連結支持具２６，２７と共締めされるネジ３８ａ，４４ａに加えて、その長手方向に沿って複数のネジ５５にて枠本体２２に対して固定されていたが、第１補強片５４の上部及び下部にて連結支持具２６，２７と共締めされるネジ３８ａ，４４ａのみで第１補強片５４を固定してもよい。このようにすれば、第１補強片５４を固定する部品点数をさらに減らすことができ、コスト低減に繋がる。
【００５３】
また、第１及び第２連結支持具２６，２７を固定する複数のネジ３８，４４のうち各１つずつのネジ３８ａ，４４ａが第１補強片５４の固定に利用されていたが、連結支持具２６，２７を固定する全てのネジ３８，４４を利用してもよいし、各２つずつを利用することも勿論可能である。
【００５４】
・上記実施形態では、支持枠２３を枠本体２２に固定するための突片８０と受止め片７８をそれぞれ、支持枠２３の下枠杆２３ｂと第２補強片７５に設けたが、前記突片８０を支持枠２３の上枠杆２３ａ又は反連結支持具２６，２７側に位置する補強支杆２３ｄに設け、受止め片７８を突片８０と対応する枠本体２２の側縁部に直接設けてもよい。
【００５５】
また、前記突片８０と受止め片７８を設けずに、支持枠２３を開閉保持機構６５及びロック機構６６におけるピン７０，７３とフック７１，７２のみで固定してもよい。このようにした場合は、枠本体２２の撓み防止のための補強は第１及び第２補強片５４，７５及び各リブ５０〜５２で行われることになる。
【００５６】
・上記実施形態では、支持枠２３を傾動させる際は、同支持枠２３は第２補強片７５にてガイドされるように構成していたが、第２補強片７５を支持枠２３から離間させて支持枠２３をガイドさせない構成にしてもよい。
【００５７】
・上記実施形態では、支持枠２３は枠本体２２に対して第１及び第２連結支持具２６，２７等にて傾動開放可能に支持されていたが、必ずしも傾動開放可能な構成にする必要はなく、支持枠２３が第１及び第２連結支持具２６，２７にて単に固定保持される構成にしてもよい。
【００５８】
【発明の効果】
以上詳述したように、請求項１の発明によれば、合成樹脂製前枠に対して同前枠を補強する前枠補強部材を簡便に取付固定でき、同前枠の外力による撓みを防止できる。
【００５９】
また、前枠の溝部及び第１の前枠補強部材の突出部により、前枠補強部材を側縁部に組みつける際の作業効率を良好にできる。
さらに、帯状板材からなる第１の前枠補強部材は、不正行為が行われ易い支持金具間を裏面からカバーするため、合成樹脂製前枠に穴が開けられても不正遊技が行われることを防止できる。
【００６０】
請求項４の発明によれば、固定手段により突片を受止め片に圧接して支持枠を固定することにより、更に支持枠にて前枠を確実に補強でき前枠の撓みを防止できる。また、第２の前枠補強部材により、さらに前枠を補強でき、外力による撓みを防止できる。
【００６１】
請求項５の発明によれば、第２の前枠補強部材が支持枠の傾動ガイド支持手段とされているため、容易に補強部材に対して支持枠を傾動セットできる。
【図面の簡単な説明】
【図１】本発明の一実施形態に係るパチンコ遊技機を示す正面図。
【図２】同じく前枠を裏面側から示す斜視図。
【図３】同じく前枠を裏面側から示す分解斜視図。
【図４】同じく前枠を示す背面図。
【図５】同じく前枠を構成する各部材を示す背面図。
【図６】同じく中枠に対する前枠の組付け状態及び支持金具等を示す一部省略側断面図。
【図７】同じく第１の前枠補強部材を示す断面図。
【図８】同じく支持枠の前枠に対する組付け機構を示す斜視図。
【図９】同じく第２の前枠補強部材を示す斜視図。
【図１０】同じく第２の前枠補強部材を示す背面図。
【符号の説明】
１２…中枠、１３…遊技盤、１４…前枠、２１…窓口、２３…支持枠、２３ｂ…下枠杆（所定の枠部）、２４…板ガラス（透明板）、２６…第１連結支持具（支持金具）、２７…第２連結支持具（支持金具）、３８，３８ａ，４４，４４ａ，８１…ネジ（固定手段）、５４…第１補強片（第１の前枠補強部材）、５６…突出部（位置ズレ規制手段、嵌合凸部）、５８…溝（位置ズレ規制手段、嵌合凹部）、７５…第２補強片（第２の前枠補強部材）、７８…受止め片（受圧部）、８０…突片（被固定部）。
【図１】
0004610701.tif 000002
【図２】
0004610701.tif 000003
【図３】
0004610701.tif 000004
【図４】
0004610701.tif 000005
【図５】
0004610701.tif 000006
【図６】
0004610701.tif 000007
【図７】
0004610701.tif 000008
【図８】
0004610701.tif 000009
【図９】
0004610701.tif 000010
【図１０】
0004610701.tif 000011